(57)【特許請求の範囲】
【請求項１】
記憶手段を備えるストレージ・デバイスに接続する接続手段を含むデバイスであって、
前記デバイスに接続されたストレージ・デバイスを選択するセレクタであって、前記選択されたストレージ・デバイスが前記デバイスのデフォルトのストレージ・セクションとなる、前記セレクタと、
デフォルトのストレージ・セクションが選択された際に、前記デフォルトのストレージ・セクションの前記記憶手段を複数の記憶領域のディレクトリ構造にパーティションで区切る構成設定手段であって、前記ディレクトリ構造は、前記デバイス上で動作する少なくとも１つのアプリケーションのためのディレクトリであって、前記アプリケーションによって使用されるデータを記憶する前記ディレクトリを含む、前記構成設定手段と、
前記デバイスに登録されたエンド・ユーザごとに、前記複数の記憶領域に対するアクセス権を定義するセキュリティ保全手段と、
を含むことを特徴とする、前記デバイス。
【請求項２】
前記デバイスに対するアクセスが許可されたエンド・ユーザのリストを取得する識別手段を含むことを特徴とする、請求項１に記載のデバイス。
【請求項３】
マーキング・ファイルを作成して前記デフォルトのストレージ・セクションに送信するマーキング手段を含むことを特徴とする、請求項１または２に記載のデバイス。
【請求項４】
前記構成設定手段は、前記記憶手段の一部分をパーティションで区切ることを特徴とする、請求項１〜３のいずれか１項に記載のデバイス。
【請求項５】
前記マーキング手段は、マークに対するタイムスタンプを示し、前記マークの寿命を示すように構成される、請求項３に記載のデバイス。
【請求項６】
前記接続手段は、少なくとも１つのＵＳＢ、イーサネット（登録商標）、または、無線ＬＡＮインタフェースを含む、請求項１〜５のいずれか１項に記載のデバイス。
【請求項７】
ストレージ・デバイスが前記接続手段に接続されたことを検出する検出器を含むことを特徴とする、請求項１〜６のいずれか１項に記載のデバイス。
【請求項８】
デフォルトのストレージ・セクションの選択および構成設定を行う方法であって、
デバイスにおいて、
少なくとも１つのストレージ・デバイスのうち、１つのストレージ・デバイスを選択するステップであって、前記選択されたストレージ・デバイスが、記憶手段を含み、前記デバイスのデフォルトのストレージ・セクションとなる、前記ストレージ・デバイスを選択するステップと、
前記デフォルトのストレージ・セクションの前記記憶手段を複数の記憶領域のディレクトリ構造にパーティションで区切るステップであって、前記ディレクトリ構造は、前記デバイス上で動作する少なくとも１つのアプリケーションのためのディレクトリであって、前記アプリケーションによって使用されるデータを記憶する前記ディレクトリを含み、前記複数の記憶領域に対するアクセス権を用いて、前記デバイスに登録されたエンド・ユーザごとに前記パーティションで区切るステップと、
を含む、前記方法。
【請求項９】
前記デバイスに接続された少なくとも１つのストレージ・デバイスを検出するステップを含み、前記少なくとも１つのストレージ・デバイスは記憶手段を含む、請求項８に記載の方法。
【請求項１０】
コンピュータ上で前記プログラムが実行されると、請求項８または９に係る方法の各ステップを実行するプログラム・コード・インストラクションを含むことを特徴とする、コンピュータ・プログラム・プロダクト。
【発明の詳細な説明】
【技術分野】
【０００１】
本発明は、一般的には、ネットワークに接続されたストレージ・デバイス（記憶装置）に関し、具体的には、このようなストレージ・デバイスの選択および構成設定を行うデバイスでの方法に関する。
【背景技術】
【０００２】
この項は、読者に対し、以下に説明し、さらに／または、請求項に記載する本発明の様々な態様に関連していると思われる技術の様々な態様を紹介することを意図している。ここで紹介する説明は、本発明の様々な態様についてより良好に理解できるようにするための背景を読者に提供するのに役立つものと確信する。従って、各記載内容は、この点に鑑みて解釈されるべきものであり、先行技術を自認するものとして解釈されるべきものではないことが理解されよう。
【０００３】
ネットワークに接続されたストレージ・デバイス（ＮＡＳ：Ｎｅｔｗｏｒｋ  Ａｔｔａｃｈｅｄ  Ｓｔｏｒａｇｅ  ｄｅｖｉｃｅ）の主な目的は、ネットワーク上の他のデバイスに対してストレージ・サービスを提供することにある。ＮＡＳデバイスは、通常、データを記憶するためにクライアントよりアクセス可能なサーバである。家庭用ゲートウェイは、ローカル・ネットワークをインターネットに接続するように構成されたネットワーク・デバイスである。ハイエンド向け家庭用ゲートウェイは、少なくとも１つのＵＳＢマスター・ポートを備えることが多くなってきている。ＵＳＢポートは、ストレージ・デバイス、プリンタ、ウエブ・カメラなどのＵＳＢデバイスとの接続を可能にする。ＵＳＢハード・ドライブやＵＳＢメモリ・スティックなどのＵＳＢストレージ・デバイスがゲートウェイに接続されると、ゲートウェイは、ストレージ・デバイス上の幾つかのファイルを家庭用ネットワークやインターネットにエクスポートすることができる。
【０００４】
ＮＡＳデバイス上でＬＡＮを介してファイルを共有するために２つのアプローチが使用されている。第１のアプローチにおいては、接続されているディスクの全てのコンテンツおよびファイルは、ディスクが接続されるとすぐに全てのユーザのためにエクスポートされる。従って、ファイルへの接続、ファイルの共有を速やかに行うことが容易である。しかしながら、どのようなユーザであっても、ディスク上のファイルにアクセスすることができる。第２のアプローチでは、ユーザは、ユーザ・インタフェースを介して各ディスクの構成設定を行う。特に、ユーザは、どのファイルおよびディレクトリがどのディスクにエクスポートされるか、さらに、どのユーザに対し、与えられたコンテンツ・アイテムの使用が許されているかを指定する。この結果、フレキシビリティおよびセキュリティが確保される。しかしながら、これには、ファイルが使用できるようになる前に多数の構成設定（コンフィギュレーション）を行うことが必要となる。
【発明の概要】
【０００５】
本発明は、自動的にディスクの選択および構成設定を行うためのゲートウェイにおける方法を提供することによって、従来技術におけるディスクの選択に関わる懸念事項の少なくとも幾らかを払拭することを試みるものである。
【０００６】
本発明は、デフォルトのストレージ・セクションの選択および構成設定を行うデバイスに関する。この目的のため、デバイスは、このデバイスに記憶手段を備えるストレージ・デバイスに接続する接続手段を含み、ストレージ・デバイスを選択するためのセレクタであって、選択されたストレージ・デバイスがデフォルトのストレージ・セクションとなるセレクタと、デフォルトのストレージ・セクションが選択された際に、デフォルトのストレージ・セクションの記憶手段を複数のディレクトリのパーティションに分割する構成設定手段と、複数のディレクトリに対するアクセス権を定義するセキュリティ保全手段と、を含むことを特徴とする。
【０００７】
このデバイスは、ディスクを選択しやすくなるようにする。エンド・ユーザは、ディスクの選択を行うようには意図されていない。選択が行われると、ディスクは、アクセス権を用いてアクセスできる複数のディレクトリのパーティションに自動的に分割される。ここでも、エンド・ユーザからの入力を必要としない。本発明のデバイスは、デフォルトのディスクを構成設定しやすくなるようにする。
【０００８】
実施の形態によれば、構成設定手段は、デバイス上で動作する少なくとも１つのアプリケーションのためのディレクトリを作成し、ディレクトリは、少なくとも１つのアプリケーションによって使用されるデータを記憶する。
【０００９】
選択されたストレージ・デバイスは、このデバイス上で動作するアプリケーションによって使用されるファイルを記憶するために使用される。
【００１０】
実施の形態によれば、デバイスは、このデバイスに対するアクセス権を有するエンド・ユーザのリストを取得する識別手段を含み、構成設定手段は、エンド・ユーザの各々のためにディレクトリを作成する。
【００１１】
選択されたストレージ・デバイスは、登録されたエンド・ユーザの各々のためにデフォルトのディレクトリを自動的に作成する。
【００１２】
実施の形態によれば、セキュリティ保全手段は、エンド・ユーザの各々のために前記複数のディレクトリに対するアクセス権を定義する。
【００１３】
実施の形態によれば、デバイスは、デフォルトのストレージ・セクションを識別するマーキング手段を含む。
【００１４】
好ましくは、マーキング手段は、デフォルトの記憶手段に対するマーキング・ファイルの作成および送信を行う。
【００１５】
実施の形態によれば、構成設定手段は、１つの記憶手段のパーティションを作成する。
【００１６】
本発明の別の目的は、デフォルトのストレージ・セクションの選択および構成設定を行う方法である。この目的のため、この方法は、デバイスにおいて、このデバイスに接続された少なくとも１つのストレージ・デバイスを検出するステップであって、少なくとも１つのストレージ・デバイスが記憶手段を含む、少なくとも１つのストレージ・デバイスを検出するステップと、少なくとも１つのストレージ・デバイスのうち、１つのストレージ・デバイスを選択するステップであって、選択されたストレージ・デバイスがデフォルトのストレージ・セクションとなる、ストレージ・デバイスを選択するステップと、デフォルトのストレージ・セクションの記憶手段を複数のディレクトリのパーティションに分割するステップであって、複数のディレクトリに対するアクセス権を用いる、ステップと、を含む。
【００１７】
本発明の別の目的は、コンピュータ上でプログラムが実行されると、本発明に係る方法の各ステップを実行するプログラム・コード・インストラクションを含むコンピュータ・プログラム・プロダクトである。「コンピュータ・プログラム・プロダクト」とは、コンピュータ・プログラムによるサポートを指し、これは、ディスクやカセットなどのプログラムを含む記憶領域だけでなく、電気的信号や光学的信号などの信号に存在する。
【００１８】
開示する実施の形態に対し、その範囲において、相応な特定の態様について以下に説明する。ここで挙げられている各態様は、読者に対し、本発明が採用可能な特定の形態を概略的に説明するものにすぎず、各態様は、本発明の範囲を限定するように意図されてはいない。実際、本発明の範囲には、以下に記載しないような様々な態様が包含される。
【００１９】
本発明は、添付図面を参照して、以下の実施の形態および実施例を通じてより良好に理解できるように示されている。これらの実施の形態および実施例は、どのような点においても、限定的なものでは全くない。
【図面の簡単な説明】
【００２０】
【図１】本実施の形態に従ったオブジェクトのブロック図である。
【図２】本実施の形態に従ったディスク管理モジュールのブロック図である。
【図３】ディスク選択処理を例示するフローチャートである。
【図４】実施の形態に係るユーザ・インタフェースを表す図である。
【発明を実施するための形態】
【００２１】
図１および図２において、示されているブロックは、純粋に、機能的なものであり、必ずしも物理的に別個なものに対応しているものではない。すなわち、各ブロックは、ハードウェアの形態でもよく、ソフトウェアの形態でもよく、１つまたは幾つかの集積回路において実施されてもよい。
【００２２】
例示的な実施の形態は、ゲートウェイのフレームワーク内において行われるが、本発明は、この特定の環境に限定されるものではなく、デバイスが外部メモリに接続する他のフレームワーク内にも適用することができる。特に、本発明は、ネットワークに接続されたストレージ・デバイス（ＮＡＳ：Ｎｅｔｗｏｒｋ  Ａｔｔａｃｈｅｄ  Ｓｔｏｒａｇｅ  ｄｅｖｉｃｅ）に適用することができる。
【００２３】
実施の形態に係るゲートウェイ２を図１に示す。ゲートウェイ２は、ディスク１に一時的に接続するための接続モジュール２４を含む。特に、接続モジュール２４は、ＵＳＢ規格に従ったＵＳＢポートである。勿論、接続モジュールは、イーサネット（登録商標）ポート、無線ＬＡＮ、ＰＡＮインタフェースなど、当業者にとって良く知られている他のどのようなタイプの接続手段であってもよい。接続モジュールは、ディスクをゲートウェイに接続できるようにする。接続モジュールは、複数のＵＳＢポートまたはイーサネット（登録商標）ポートを含むこともある。接続モジュールもまた、ゲートウェイをローカル・エリア・ネットワークに接続できるようにする。
【００２４】
ＵＳＢモバイル・ドライブであるディスク１は、一時的にゲートウェイ２に接続することができる。勿論、ＵＳＢメモリ・スティックやＵＳＢハードディスクなど、他のディスクのタイプのものでもよい。より一般的には、ラップトップ、セットトップ・ボックス、さらに、ディジタル・ビデオ・レコーダ・デバイスなどのデバイス内のハード・ドライブなど、どのようなタイプの不揮発性記憶モジュールであっても良い。ディスクは、記憶モジュール１０と、以下に定義する記憶モジュール内のディレクトリ構造１１を含む。
【００２５】
本実施の形態に係るゲートウェイは、後に詳細に説明するような、ディスクを特殊ディスクとしてマーキングする機構を含む。この特殊ディスクをデフォルトのディスクまたは、管理ディスクと呼ぶ。管理ディスクは、以下に詳細に説明するように、最小の構成でセキュリティの保全を行い、ゲートウェイによって新しいアプリケーションが管理されるように構成設定されている。ゲートウェイは、最小限のユーザ入力でディスクを管理する。勿論、以下に示すように、管理ディスクはディスクの１つのパーティションであってもよく、これを管理パーティションと呼ぶ。
【００２６】
ゲートウェイは、管理ディスクの選択を可能にするように構成されたユーザ・インタフェース２３を含む。ディスクがＵＳＢインタフェースで検出されると、このディスクは、ユーザ・インタフェース内に現れる。実施の形態に係るユーザ・インタフェースを図４に示す。図４は２つのディスク、ディスク１およびディスク２を示している。ディスク１は、３つのパーティションに分割されている。パーティション１のサイズは、１２０ギガバイトであり、８０ギガバイトは使用されていない。パーティション２のサイズは、６０ギガバイトであり、１ギガバイトは使用されていない。３番目のパーティションである、パーティション３は、フォーマットされていない。パーティション１は、管理パーティションとして選択されている。ユーザ・インタフェースは、パーティション３をフォーマットできるようにする。ディスク２はパーティションを１つのみ含む。パーティション１は、２００ギガバイトであり、１６４ギガバイトは使用されていない。パーティション１は、管理パーティションとして選択されている。
【００２７】
ゲートウェイは、ゲートウェイの他のモジュールを駆動するためのプロセッサなどの、プロセッサ・モジュール２１を含む。ゲートウェイは、以下に示すような管理ディスク識別子を記憶する記憶モジュール２２を含む。さらに、ゲートウェイは、ゲートウェイで登録されたエンド・ユーザのリストを記憶する。記憶モジュールは、不揮発性のメモリであり、好ましくは、フラッシュ・メモリである。より一般的には、ゲートウェイは、ゲートウェイにアクセス可能とされたエンド・ユーザのリストを取得する識別モジュール（２６）を含む。これらのエンド・ユーザは、一般的に、ログイン／パスワードで自己がゲートウェイに対するアクセスできることを識別する。より具体的には、エンド・ユーザのリストは、ゲートウェイが接続された家庭用ネットワークに対するアクセス権を有するエンド・ユーザを含む。
【００２８】
特に、ゲートウェイは、幾つかの数のサーバ、ＳＭＢサーバ、ＦＴＰサーバ、さらに、ＨＴＴＰサーバを含む。ユーザは、ウエブ・ブラウザ、ＦＴＰクライアント、または、ＧＵＩへのブラウジングを使用してこれらのサーバのうちの１つに接続すると、ユーザ名、パスワードが尋ねられる。サーバは、ユーザがログインする際、ユーザが自己のホーム・ディレクトリのみを見られるようにするように構成されている。例えば、エンド・ユーザがゲートウェイのＦＴＰサーバに接続する際、ユーザは、正確なユーザ名／パスワードを与えた後、自己のホーム・ディレクトリに自動的に入る。さらに、ユーザ管理モジュールは、ゲートウェイ内に存在し、ユーザの追加およびユーザのパスワードの変更を行うユーザ・インタフェースを含む。
【００２９】
ゲートウェイは、管理ディスクを構成するためのディスク管理モジュール２５を含む。この点については、図２にさらに記載されている。ディスク管理モジュール２５は、管理ディスクの管理および構成設定を行うように構成されている。ディスク管理モジュール２５は、ディスクを管理ディスクとして選択するためのディスク選択モジュール２５．４を含む。選択は、ユーザ・インタフェースでエンド・ユーザによって行われる。ユーザ・インタフェースは、エンド・ユーザがディスクを管理ディスクとして選択できるようにする。さらに、ユーザ・インタフェースは、以下に詳細に記載するように、管理ディスクの構成設定を行うことを許可する。ユーザが変更を確認すると、ストレージ構成設定モジュールは、イベントを受信する。ディレクトリ構造が作成され、マーカーがゲートウェイ・フラッシュおよびハードディスク上に置かれる。
【００３０】
検出モジュールは２５．５は、ディスクがゲートウェイに接続されたことを検出できるようにする。ディスク識別モジュール２５．３は、ディスクを管理ディスクとしてマーキングできるようにする。管理ディスクが選択されると、ディスク識別モジュールは、ゲートウェイの不揮発性のメモリ上でタイムスタンプを含むマーカー・ファイルを作成する。さらに、ディスク識別モジュールは、ＵＳＢディスク上にマーカーのコピーを置く。マーカーは、ディスクが管理されているかどうかを認識するために使用される。この認識は、ディスクがゲートウェイに接続されるときは、いつでも、どこでも行われる。
【００３１】
さらに、マーカーは、管理ディスクが或るインタフェース（例えば、ＵＳＢポート＿１）から別のインタフェース（例えば、ＵＳＢポート＿２）に移動された際に、管理ディスクを検出するために使用される。
【００３２】
さらに、全てのディスクが固有のハードウェアＩＤを有しているものではないため、マーカーは、ディスクが切断／再接続、またはリブートされる際、どのようなタイプのディスクの認識もできるようにする。
【００３３】
タイムスタンプをマークに関連付け可能であることが理解できよう。タイムスタンプは、マークの寿命を示す。
【００３４】
ゲートウェイは、管理ディスクの構成設定を行うための構成設定モジュール２５．２を含む。特に、構成設定モジュール２５．２は、管理ディスクにおけるディレクトリ構造を作成する。ディレクトリ構造は、管理ディスクの記憶モジュールを複数の記憶領域のパーティションに分割する。ディレクトリ構造においては、ゲートウェイのデータベース内に登録されたエンド・ユーザの各々に対して専用のディレクトリが作成される。図示しないが、ゲートウェイは、複数のエンド・ユーザを登録するための手段を含む。エンド・ユーザのリストは、データベースに記憶される。構成設定モジュールは、データベースにアクセスして登録されたエンド・ユーザをチェックし、さらに、対応するディレクトリを作成することができる。新しいエンド・ユーザが登録されると、新しいディレクトリが作成される。エンド・ユーザがデータベースから除去されると、ディスクから対応するディレクトリが除去される。
【００３５】
実施の形態によれば、ディレクトリ構造を作成するエンド・ユーザのリストの構成設定が可能である。登録されたユーザのリストは、ユーザ・インタフェースに現れる。ユーザ・インタフェースは、エンド・ユーザのリスト内における幾らかのユーザを選択可能にする手段を含む。次に、ゲートウェイは、選択されたユーザのためだけにディレクトリ構造を作成する。
【００３６】
次に、各ディレクトリ構造に対するアクセスは、エンド・ユーザの各々のために限定される。これは、セキュリティ保全モジュール２５．１によって実行される。ユーザがゲートウェイに接続すると、ログインおよびパスワードを用いて識別が行われる。そこで、ユーザは、自己のディレクトリのみにアクセスすることができる。ユーザは、他のユーザのディレクトリにアクセスすることはない。勿論、データベースに登録されたユーザは、異なるレベルのアクセス権を有する場合がある。例えば、第１のユーザは、高レベルのアクセス権を有し、第２のユーザは、低レベルのアクセス権を有する。第１のユーザは、全てのディレクトリに対するアクセス権を有し、第２のユーザは、自己のディレクトリに対するアクセス権のみを有する。
【００３７】
管理ディスクを選択し、構成設定する処理を図３に示す。ゲートウェイには、管理ディスクは登録されていない。エンド・ユーザは、管理ディスクの選択を開始する（３１）。エンド・ユーザは、ユーザ・インタフェース上でアイコンを選択し、選択を開始する。選択が開始されると、ゲートウェイは、利用可能なディスクのリスト、さらに、管理ディスクの候補を提示する（３２）。エンド・ユーザは、ゲートウェイ・インタフェースでディスクに接続することもでき、そのディスクは、利用可能なディスクのリスト内に現れる。エンド・ユーザは、ユーザ・インタフェース上でディスクを管理ディスクとして選択する（３３）。次に、ゲートウェイは、管理ディスクの構成設定を自動的に行う（３４）。登録されたエンド・ユーザの各々のためにディレクトリが作成される。
【００３８】
代替的には、エンド・ユーザが管理ディスクの選択を初期化した後、ゲートウェイに接続された最初のディスクが管理ディスクとして選ばれる。より正確には、或る時間フレームの間にゲートウェイに接続された最初のディスクが管理ディスクとして選択される。
【００３９】
代替的には、ゲートウェイは複数のＵＳＢポートを有する。１つのＵＳＢポートが管理ディスクと接続するために留保される。このポートに接続されたディスクは、管理ディスクとして選択される。他のポートに接続されているディスクは、非管理ディスクである。
【００４０】
その後、ディスクがゲートウェイに接続されると、ゲートウェイは、以下のようにディスクの識別を実行する。ディスクの接続は、イベントを発生させる。検出モジュールに対し、ディスクが接続されていることが知らせられ、このディスクが接続されているディスクのリストに追加される。ディスク識別モジュールは、ゲートウェイのフラッシュ上にマーカーが存在するかどうかをチェックする。フラッシュ上にマーカーが存在する場合には、ディスク識別モジュールは、ＵＳＢディスクを読み出し、マーカーの存在をチェックする。マーカーが存在し、双方のマーカーが一致する場合には、ゲートウェイは、ディスクが管理ディスクであるとの結論を下し、ディレクトリ構造の確認が行われる。ディレクトリ構造が既に存在しない場合（例えば、ディスクが直接別のデバイスに接続されたときにユーザが削除してしまっている場合）には、ディレクトリ構造が再作成される。
【００４１】
マーカーが一致しない場合には、ディスクは現在の管理ディスクではない。さらなるアクションがとられることはない。ディスクにマーカーが存在しない場合には、ディスクは管理ディスクではない。さらなるアクションがとられることない。
【００４２】
管理ディスクは、数少ない構成設定でセキュアなファイル共用の解決法を提供するものである。管理ディスクは、アプリケーションを実行可能とするために、ゲートウェイに常に接続されているべきディスクであると考えることもできる。また、管理ディスクは、ゲートウェイに埋め込まれたＩＰ応答マシンを介して音声の音声メッセージを記憶するディスクとなることもある。より一般的には、ディスクはゲートウェイのアプリケーションのためのデータを記憶するデフォルトのディスクであると考えることができる。
【００４３】
実施の形態によれば、ゲートウェイは、１つのディスクのみを管理ディスクとして選択する。ディスクは、全てのホーム・ディレクトリを含むように使用してもよいし、ゲートウェイに永続的に接続されたディスクを必要とする他のアプリケーションを含むように使用してもよい。
【００４４】
実施の形態によれば、管理されたディスクの機能を或るディスクから別のディスクに移行させることができる。ゲートウェイは、或るディスクから別のディスクに完全な定義済みのディレクトリ構造をコピーする、管理ディスク移行モジュールを含む。
【００４５】
別のディスクが管理ディスクとして選択されると、ウイザードが初期化される。ウイザードは、ユーザによる確認の後、管理ディスク移行モジュールを介して転送を開始する。古い管理ディスクが接続されていない場合、ウイザードは、ユーザに対して古い管理ディスクを接続するように促して、転送が行われるようにすることができる。
【００４６】
明細書、請求の範囲、さらに、図面において開示された事項は、単独で提供されることもあるし、適切に組み合わせて提供されることもある。各特徴事項は、場合により、ハードウェア、ソフトウェア、または、ハードウェアとソフトウェアの組み合わせによって実施される。
【００４７】
本明細書において、「一実施の形態」または「実施の形態」の記載は、実施の形態に関連して説明される特定の特徴事項、構造、または、特性を、本発明の少なくとも１つの実施態様に含めることができることを意味している。明細書中の様々な箇所に存在する「一実施の形態においては」という表現は、必ずしも全てが同一の実施の形態を指しているものではなく、必ずしも他の実施の形態とは互いに排他的な別個の実施の形態、代替的実施の形態を指しているものでもない。
【００４８】
各請求項に存在する参照符号は、例示的な目的のみのために示されているものであり、請求の範囲を限定するものではない。
【図１】
0005473086.tif 000002
【図２】
0005473086.tif 000003
【図３】
0005473086.tif 000004
【図４】
0005473086.tif 000005